(57)【要約】【課題】２系統の音声入力のいずれでもＶＯＸ機能を使用可能とすること。【解決手段】音声検出手段１３が、送話音声を検出し、送受信切替手段２，１９が、受信状態で音声検出手段１３により音声が検出された場合に受信状態から送信状態に切り替える。また、切替手段１２が、２系統の音声入力のいずれか一方を音声検出回路１３に接続する。そして、設定手段１８が、受信状態での切替手段１２の接続状態を設定し、制御手段１７が、設定手段１８による設定に従って切替手段１２を制御する。【選択図】　図１
2004104444.tif 000002
【特許請求の範囲】
【請求項１】
送話音声を検出する音声検出手段と、
受信状態で上記音声検出手段により音声が検出された場合に受信状態から送信状態に切り替える送受信切替手段と、
２系統の音声入力のいずれか一方を上記音声検出手段に接続する切替手段と、
受信状態での上記切替手段の接続状態を設定する設定手段と、
上記設定手段による設定に従って上記切替手段を制御する制御手段と、
を備えることを特徴とする無線機。
【請求項２】
外部機器を接続可能であってその外部機器からの音声信号を入力される外部音声入力端子を備え、
前記切替手段は、前記２系統の音声入力としてマイクロホンおよびその外部機器のいずれか一方を前記音声検出手段に接続すること、
を特徴とする請求項１記載の無線機。
【請求項３】
前記制御手段は、前記設定手段による設定に加えて、前記２系統の音声入力にそれぞれ対応して２つのＰＴＴスイッチから供給される信号に従って前記切替手段を制御することを特徴とする請求項１または請求項２記載の無線機。
【請求項４】
前記制御手段は、前記２系統の音声入力にそれぞれ対応して前記２つのＰＴＴスイッチから供給される信号がオフ状態である場合には、前記設定手段による設定のみに従って前記切替手段を制御することを特徴とする請求項３記載の無線機。
【請求項５】
前記制御手段は、前記設定手段による設定より前記２つのＰＴＴスイッチから供給される信号のオン／オフ状態を優先して前記切替手段を制御することを特徴とする請求項３記載の無線機。
【発明の詳細な説明】
【０００１】
【発明の属する技術分野】
本発明は、無線機に関する。
【０００２】
【従来の技術】
従来の無線機は、送信回路と受信回路を有し、さらに、送信回路により送話する送信状態および受信回路により受話する受信状態を切り替える送受信切替回路を有し、ユーザにより送信状態が所望される際にＰＴＴ（Ｐｕｓｈ　Ｔｏ　Ｔａｌｋ）スイッチがオンされると、その送受信切替回路により無線機の状態が受信状態から送信状態に切り替えられる。
【０００３】
また、従来の無線機には、ＰＴＴスイッチを操作しなくてもマイクロホンに向かって話すだけで送信状態になり、話すことを止めると受信状態に戻るいわゆるＶＯＸ（Ｖｏｉｃｅ　Ｏｐｅｒａｔｅｄ　Ｔｒａｎｓｍｉｔｔｅｒ）機能を備えたものがある（例えば、特許文献１参照）。
【０００４】
【特許文献１】
特開２０００−２９５１３６号公報（従来技術欄）
【０００５】
その他、従来の無線機には、パーソナルコンピュータなどの外部機器からの音声を入力するための外部音声入力端子と、その外部音声入力の送信を指示する信号（以下、外部ＰＴＴ信号という）を入力するための外部ＰＴＴ信号入力端子を備えたものもある。
【０００６】
図３は、ＶＯＸ機能と外部音声入力端子および外部ＰＴＴ信号入力端子とを備えた従来の無線機の構成例を示すブロック図である。以下、図３に示す従来の無線機の動作について説明する。
【０００７】
外部機器３１は、必要に応じて、外部音声入力端子１０および外部ＰＴＴ信号入力端子１１に接続される。
【０００８】
外部機器３１が接続された状態では、制御回路１０１は、ＰＴＴスイッチ２２からのＰＴＴ信号および外部機器３１のＰＴＴスイッチ３２からの外部ＰＴＴ信号を受け取り、これらのＰＴＴ信号に応じてスイッチ１２を制御する。図４は、図３に示す従来の無線機における制御回路１０１による制御様式を示す図である。図４に示すように、制御回路１０１は、ＰＴＴスイッチ２２がオン状態である場合には、スイッチ１２にマイクロホン２１を選択させ、外部機器３１のＰＴＴスイッチ３２がオン状態である場合には、スイッチ１２に外部機器３１を選択させる。
【０００９】
ただし、制御回路１０１は、ＰＴＴスイッチ２２および外部機器３１のＰＴＴスイッチ３２の両方がオン状態である場合には、マイクロホン２１を優先させ、スイッチ１２にマイクロホン２１を選択させる。また、制御回路１０１は、ＰＴＴスイッチ２２および外部機器３１のＰＴＴスイッチ３２の両方がオフ状態である場合には、マイクロホン２１を優先させ、スイッチ１２にマイクロホン２１を選択させる。なお、外部ＰＴＴ信号の値は、外部機器３１が接続されていない場合と、外部機器３１が接続され外部機器３１のＰＴＴスイッチ３２がオフ状態である場合とで同一になるため、外部機器３１が接続されていない場合にマイクロホン２１およびＰＴＴスイッチ２２により動作を可能とするためにマイクロホン２１およびＰＴＴスイッチ２２が優先されている。
【００１０】
また、受信状態において、ＰＴＴスイッチ２２または外部機器３１のＰＴＴスイッチ３２がオン状態とされると、論理和回路１９は、ＰＴＴ信号または外部ＰＴＴ信号の変化に応じて、送受信切替スイッチ２を切替動作させ、受信回路（高周波増幅回路３、周波数変換回路４、復調回路５および低周波増幅器６）に接続されていたアンテナ１を送信回路（低周波増幅器１４、変調回路１５および電力増幅回路１６）に接続させる。
【００１１】
これにより、ＰＴＴスイッチ２２をオン状態とすることで、マイクロホン２１を使用した送話が可能となり、外部機器３１のＰＴＴスイッチ３２をオン状態とすることで、外部機器３１を使用した送話が可能となる。
【００１２】
次に、従来の無線機のＶＯＸ機能について説明する。
【００１３】
ＰＴＴスイッチ２２および外部機器３１のＰＴＴスイッチ３２の両方がオフ状態である場合、従来の無線機は受信状態にある。この場合、上述のように、スイッチ１２によりマイクロホン２１が選択され、マイクロホン２１とＶＯＸ回路１３とが電気的に接続された状態となっている。
【００１４】
したがって、受信状態において、ユーザがマイクロホン２１に向かって話すと、そのユーザの音声信号がマイクロホン２１からマイクロホン端子９およびスイッチ１２を介してＶＯＸ回路１３に到達する。
【００１５】
ＶＯＸ回路１３は、その音声信号を検出すると、送信指示信号を論理和回路１９に供給する。論理和回路１９は、その送信指示信号が供給された場合、送受信切替スイッチ２を切替動作させ、受信回路（高周波増幅回路３、周波数変換回路４、復調回路５および低周波増幅器６）に接続されていたアンテナ１を送信回路（低周波増幅器１４、変調回路１５および電力増幅回路１６）に接続させる。
【００１６】
これにより、ＶＯＸ回路１３による音声検出に応じて、従来の無線機の状態が送信状態に切り替わり、マイクロホン２１を使用した送話が可能となる。
【００１７】
なお、ＶＯＸ機能を有するその他の従来の無線機としては、例えば特許文献２に記載のものがある。
【００１８】
【特許文献２】
特開平８−１３９６６５号公報（段落０００２〜０００７）
【００１９】
【発明が解決しようとする課題】
しかしながら、上述の従来の無線機では、外部音声入力端子１０および外部ＰＴＴ信号入力端子１１に接続された外部機器３１を使用して送話する場合には、外部機器３１のＰＴＴスイッチ３２をオン状態とする必要があり、ＶＯＸ回路１３があるにも拘わらずＶＯＸ機能を利用することが困難である。
【００２０】
なお、外部機器３１に音声検出手段などを設け、その音声検出手段により音声が検出された場合に、外部ＰＴＴ信号を変化させることも考えられるが、そのようにすると、音声検出手段などの追加に起因して外部機器３１などのコストが高くなってしまう。例えば、外部機器３１としてパーソナルコンピュータを使用する場合には、音声を検出して外部ＰＴＴ信号を変化させるようなプログラムを新たにインストールする必要があり、プログラムの購入コストまたは作成コストがかかったり、インストールする手間がかかったりしてしまう。
【００２１】
本発明は、上記問題に鑑みてなされたものであり、２系統の音声入力のいずれでもＶＯＸ機能を使用可能とする無線機を得ることを目的とする。
【００２２】
【課題を解決するための手段】
上記の課題を解決するために、本発明の無線機は、送話音声を検出する音声検出手段と、受信状態で音声検出手段により音声が検出された場合に受信状態から送信状態に切り替える送受信切替手段と、２系統の音声入力のいずれか一方を音声検出手段に接続する切替手段と、受信状態での切替手段の接続状態を設定する設定手段と、設定手段による設定に従って切替手段を制御する制御手段とを備える。
【００２３】
さらに、本発明の無線機は、上記発明の無線機に加え、外部機器を接続可能であってその外部機器からの音声信号を入力される外部音声入力端子を備え、切替手段が、２系統の音声入力としてマイクロホンおよびその外部機器のいずれか一方を音声検出手段に接続するようにしたものである。
【００２４】
さらに、本発明の無線機は、上記発明の無線機のいずれかに加え、制御手段が、設定手段による設定に加えて、２系統の音声入力にそれぞれ対応して２つのＰＴＴスイッチから供給される信号に従って切替手段を制御するようにしたものである。
【００２５】
さらに、本発明の無線機は、上記発明の無線機のいずれかに加え、制御手段が、２系統の音声入力にそれぞれ対応して２つのＰＴＴスイッチから供給される信号がオフ状態である場合には、設定手段による設定のみに従って切替手段を制御するようにしたものである。
【００２６】
さらに、本発明の無線機は、上記発明の無線機のいずれかに加え、制御手段が、設定手段による設定より２つのＰＴＴスイッチから供給される信号のオン／オフ状態を優先して切替手段を制御するようにしたものである。
【００２７】
【発明の実施の形態】
以下、図に基づいて本発明の実施の形態を説明する。
【００２８】
図１は、本発明の実施の形態に係る無線機の構成を示すブロック図である。図１において、アンテナ１は、送信時には電波を放射し、受信時には電波を感受する送信用および受信用のアンテナ装置である。
【００２９】
また、送受信切替スイッチ２は、制御信号に従って、受信系の高周波増幅回路３および送信系の電力増幅器１６のいずれかをアンテナ１に電気的に接続するスイッチである。
【００３０】
高周波増幅回路３、周波数変換回路４、復調回路５および低周波増幅回路６は、受信回路を構成する。高周波増幅回路３は、アンテナ１で感受された高周波信号を増幅する回路である。周波数変換回路４は、高周波増幅回路３により増幅された高周波信号を中間周波数信号に変換する回路である。復調回路５は、中間周波数信号を復調し、音声信号を抽出する回路である。低周波増幅回路６は、音声信号を増幅する回路である。スピーカ７は、音声信号を供給され、音波として出力する装置である。なお、この受信回路には、受信する高周波信号の周波数を選択するための同調回路を設けるようにしてもよい。
【００３１】
また、ＰＴＴ端子８は、ＰＴＴスイッチ２２を接続され、ＰＴＴスイッチ２２のオン／オフ状態を示すＰＴＴ信号を入力される入力端子である。マイクロホン端子９は、マイクロホン２１を接続され、マイクロホン２１からの音声信号を入力される入力端子である。
【００３２】
また、外部音声入力端子１０は、外部機器３１の音声出力端子などを接続され、外部機器３１からの音声信号を入力される入力端子である。外部ＰＴＴ信号入力端子１１は、外部機器３１のＰＴＴスイッチ３２を接続され、外部機器３１からのＰＴＴ信号（外部ＰＴＴ信号）を入力される入力端子である。
【００３３】
また、スイッチ１２は、制御信号に基づいて、２系統の音声入力であるマイクロホン２１および外部機器３１のいずれか一方をＶＯＸ回路１３に接続する切替手段である。ＶＯＸ回路１３は、送話音声を検出し、送話音声を検出した際に送信指示信号を出力する音声検出手段として機能する回路である。
【００３４】
低周波増幅回路１４、変調回路１５および電力増幅回路１６は、送信回路を構成する。低周波増幅回路１４は、送信される音声信号を増幅する回路である。変調回路１５は、音声信号により搬送波を変調して変調信号を生成する回路である。電力増幅回路１６は、変調信号を電力増幅する回路である。
【００３５】
また、制御回路１７は、設定スイッチ１８による設定に従って受信状態でのスイッチ１２を制御する制御手段として機能する回路である。なお、この制御回路１７は、例えば、ＰＴＴ信号、外部ＰＴＴ信号、および設定スイッチ１８の接続点の電圧を３入力として、１つの制御信号を出力する論理回路として実現可能であり、１つの集積回路としてもよい。設定スイッチ１８は、ユーザに操作され、オン／オフ状態を保持し、受信状態でのスイッチ１２の接続状態を設定する設定手段としてのスイッチである。なお、この設定スイッチ１８は、オン／オフ状態を保持するスイッチであるが、その代わりに、スイッチとラッチ回路などを組み合わせ、そのスイッチが押されるたびにラッチ回路の保持する値が変化するようにしてもよい。
【００３６】
また、論理和回路１９は、３入力１出力の論理和を演算する回路であって、ＰＴＴスイッチ２２からのＰＴＴ信号を反転入力で供給され、外部機器３１からの外部ＰＴＴ信号を反転入力で供給され、ＶＯＸ回路１３からの送信指示信号を供給され、ＰＴＴ信号の反転値、外部ＰＴＴ信号の反転値および送信指示信号の値の論理和を演算し、演算結果の値の制御信号を出力する回路である。
【００３７】
なお、送受信切替スイッチ２および論理和回路１９は、受信状態でＶＯＸ回路１３により音声が検出された場合に受信状態から送信状態に切り替える送受信切替手段として機能する。
【００３８】
さらに、マイクロホン２１は、マイクロホン端子９に接続され、ユーザの音声を集音し、その音声を電気信号に変換した音声信号を出力する装置である。
【００３９】
さらに、ＰＴＴスイッチ２２は、ＰＴＴ端子８に接続され、ユーザにより送話時にオンされるスイッチを含み、そのスイッチのオン／オフ状態を示すＰＴＴ信号を出力する装置である。なお、ＰＴＴ信号は、ＰＴＴスイッチ２２がオン状態ではローレベルとなり、オフ状態ではハイレベルとなる。
【００４０】
さらに、外部機器３１は、必要に応じて、外部音声入力端子１０および外部ＰＴＴ信号入力端子１１に接続され、外部音声入力端子１０に対して音声信号を供給し、内蔵のＰＴＴスイッチ３２から無線機の外部ＰＴＴ信号入力端子１１に外部ＰＴＴ信号を供給する装置である。なお、外部ＰＴＴ信号は、外部機器３１に対して所定の送話操作がなされるとローレベルとなり、その以外の場合にはハイレベルとなる。すなわち、外部機器３１のＰＴＴスイッチ３２がオンされると、外部ＰＴＴ信号がローレベルとなり、その以外の場合にはハイレベルとなる。
【００４１】
この外部機器３１は、例えばパーソナルコンピュータおよび制御プログラムとして実現され、音声信号および外部ＰＴＴ信号の出力に使用する各種出力ポートを備える。
【００４２】
次に、上記装置の動作について説明する。
【００４３】
外部機器３１は、必要に応じて、外部音声入力端子１０および外部ＰＴＴ信号入力端子１１に接続され、特に必要のない場合には、接続されていなくてもよい。
【００４４】
外部機器３１が接続された状態では、制御回路１７は、ＰＴＴスイッチ２２からのＰＴＴ信号および外部機器３１からの外部ＰＴＴ信号を受け取り、これらの２つのＰＴＴ信号の値および設定スイッチ１８のオン／オフ状態に応じてスイッチ１２を制御する。図２は、図１に示す本実施の形態に係る無線機における制御回路による制御様式を示す図である。図２に示すように、制御回路１７は、設定スイッチ１８の状態に拘わらず、ＰＴＴスイッチ２２がオン状態である場合には、スイッチ１２にマイクロホン２１を選択させ、外部機器３１のＰＴＴスイッチ３２がオン状態である場合には、スイッチ１２に外部機器３１を選択させることを基本的に優先させる。
【００４５】
ただし、制御回路１７は、ＰＴＴスイッチ２２および外部機器３１のＰＴＴスイッチ３２の両方がオン状態である場合には、図２に示すように、設定スイッチ１８の状態に拘わらず、マイクロホン２１を優先させ、スイッチ１２にマイクロホン２１を選択させる。
【００４６】
また、受信状態においては、ＰＴＴ信号および外部ＰＴＴ信号がハイレベルとなっており（すなわち、ＰＴＴスイッチ２２と外部機器３１のＰＴＴスイッチ３２が両方ともオフ状態であり）、ＶＯＸ回路１３からの送信指示信号がローレベルとなっているため、論理和回路１９は、ローレベルの制御信号を送受信切替スイッチ２に供給して受信回路（高周波増幅回路３、周波数変換回路４、復調回路５および低周波増幅器６）を選択させている。そして、受信状態において、ＰＴＴスイッチ２２または外部機器３１のＰＴＴスイッチ３２がオン状態とされると、ＰＴＴ信号または外部ＰＴＴ信号の値がローレベルとなる。このため、論理和回路１９は、ハイレベルの制御信号を送受信切替スイッチ２に供給し、送受信切替スイッチ２を切替動作させ、アンテナ１を送信回路（低周波増幅器１４、変調回路１５および電力増幅回路１６）に接続させる。
【００４７】
これにより、ＰＴＴスイッチ２２をオン状態とすることで、マイクロホン２１を使用した送話（すなわち、音声信号の送信）が可能となり、外部機器３１のＰＴＴスイッチ３２をオン状態とすることで、外部機器３１を使用した送話が可能となる。
【００４８】
送信状態においては、マイクロホン２１または外部機器３１から入力される音声信号がスイッチ１２およびＶＯＸ回路１３を介して低周波増幅回路１４に供給される。低周波増幅回路１４は、その音声信号を増幅し、増幅後の音声信号を変調回路１５に供給する。変調回路１５は、所定の変調方式に基づき、その音声信号で搬送波を変調し、変調信号を生成する。電力増幅回路１６は、その変調信号を電力増幅する。そして、電力増幅された変調信号は、送受信切替スイッチ２を介してアンテナ１に印加され、電波として放射される。以下、送信状態においては、このようにして音声信号の送信が行われる。
【００４９】
一方、受信状態においては、アンテナ１により感受された高周波の変調信号が送受信切替スイッチ２を介して高周波増幅回路３に供給される。高周波増幅回路３は、その高周波の変調信号を増幅し、増幅後の変調信号を周波数変換回路４に供給する。周波数変換回路４は、その変調信号を中間周波数の信号へ変換し、変換後の信号を復調回路５に供給する。復調回路５は、その信号を所定の復調方式で復調し、音声信号を抽出する。そして、低周波増幅回路６は、その音声信号を増幅し、増幅後の音声信号をスピーカ７に出力し、スピーカ７は、その音声信号に対応する音波を発する。以下、受信状態においては、このようにして音声信号の受信が行われる。
【００５０】
なお、外部機器３１が外部ＰＴＴ信号入力端子１１に接続されていない場合には、外部ＰＴＴ信号に相当する外部ＰＴＴ信号入力端子１１の電位は、常にハイレベルとなり、外部機器３１のＰＴＴスイッチ３２がオフ状態であるときに同一になる。また、ＰＴＴスイッチ２２がＰＴＴ端子８に接続されていない場合には、ＰＴＴ信号に相当するＰＴＴ端子８の電位は、常にハイレベルとなり、ＰＴＴスイッチ２２がオフ状態であるときに同一になる。
【００５１】
次に、本実施の形態に係る無線機のＶＯＸ機能について説明する。
【００５２】
まず、ユーザは、予め設定スイッチ１８を操作し、マイクロホン２１からの音声入力および外部機器３１からの音声入力のいずれに対してＶＯＸ機能を使用するかを設定する。
【００５３】
設定スイッチ１８がオフ状態に予め設定されているとすると、マイクロホン２１からの音声入力に対してＶＯＸ機能を使用することが優先され、設定スイッチ１８がオン状態に予め設定されているとすると、外部機器３１からの音声入力に対してＶＯＸ機能を使用することが優先される。
【００５４】
このように設定スイッチ１８の状態が設定される。
【００５５】
そして、ＰＴＴスイッチ２２および外部機器３１のＰＴＴスイッチ３２の両方がオフ状態である場合、この無線機は受信状態にある。受信状態において、設定スイッチ１８がオフ状態にある場合には、図２に示すように、制御回路１７による制御に従ってスイッチ１２によりマイクロホン２１が選択され、マイクロホン２１とＶＯＸ回路１３とが電気的に接続された状態となっている。
【００５６】
したがって、受信状態において、ユーザがマイクロホン２１に向かって話すと、そのユーザの音声信号がマイクロホン２１からマイクロホン端子９およびスイッチ１２を介してＶＯＸ回路１３に到達する。
【００５７】
ＶＯＸ回路１３は、その音声信号を検出すると、ハイレベルの送信指示信号を論理和回路１９に供給する。論理和回路１９は、ハイレベルの送信指示信号を供給された場合、送受信切替スイッチ２を切替動作させ、受信回路（高周波増幅回路３、周波数変換回路４、復調回路５および低周波増幅器６）に接続されていたアンテナ１を送信回路（低周波増幅器１４、変調回路１５および電力増幅回路１６）に接続させる。
【００５８】
これにより、設定スイッチ１８がオフ状態に設定されていると、ＶＯＸ回路１３による音声検出に応じて、この実施の形態に係る無線機の状態が送信状態に切り替わり、マイクロホン２１を使用した送話が可能となる。
【００５９】
ただし、ＶＯＸ機能によりマイクロホン２１を使用した送話が可能な場合でも、外部機器３１のＰＴＴスイッチ３２がオンされると、制御回路１７は、スイッチ１２を制御して、ＶＯＸ回路１３に外部機器３１を選択させる。これにより、外部機器３１からの音声信号が送信される。すなわち、スイッチ１２の制御に関しては、設定スイッチ１８の設定状態より外部機器３１のＰＴＴスイッチ３２のオン状態が優先される。
【００６０】
一方、受信状態において、設定スイッチ１８がオン状態にある場合には、図２に示すように、制御回路１７による制御に従ってスイッチ１２により外部機器３１が選択され、外部機器３１とＶＯＸ回路１３とが電気的に接続された状態となっている。
【００６１】
したがって、受信状態において、外部機器３１から出力された音声信号が、外部音声入力端子１０およびスイッチ１２を介してＶＯＸ回路１３に到達する。
【００６２】
ＶＯＸ回路１３は、その音声信号を検出すると、ハイレベルの送信指示信号を論理和回路１９に供給する。論理和回路１９は、ハイレベルの送信指示信号を供給された場合、送受信切替スイッチ２を切替動作させ、受信回路（高周波増幅回路３、周波数変換回路４、復調回路５および低周波増幅器６）に接続されていたアンテナ１を送信回路（低周波増幅器１４、変調回路１５および電力増幅回路１６）に接続させる。
【００６３】
これにより、設定スイッチ１８がオン状態に設定されていると、ＶＯＸ回路１３による音声検出に応じて、この実施の形態に係る無線機の状態が送信状態に切り替わり、外部機器３１を使用した送話が可能となる。
【００６４】
ただし、ＶＯＸ機能により外部機器３１を使用した送話が可能な場合でも、ＰＴＴスイッチ２２がオンされると、制御回路１７は、スイッチ１２を制御して、ＶＯＸ回路１３にマイクロホン２１を選択させる。これにより、マイクロホン２１からの音声信号が送信される。すなわち、スイッチ１２の制御に関しては、設定スイッチ１８の設定状態よりＰＴＴスイッチ２２のオン状態が優先される。
【００６５】
そして、ＶＯＸ回路１３は、例えば所定の時間、送話の音声信号が供給されないと、送信指示信号をローレベルに変化させる。したがって、そのときにＰＴＴスイッチ２２および外部機器３１のＰＴＴスイッチ３２がオフ状態であれば、論理和回路１９および送受信切替スイッチ２により、無線機の状態が送信状態から受信状態へ変更される。
【００６６】
以上のように、上記実施の形態に係る無線機は、送話音声を検出するＶＯＸ回路１３と、受信状態でＶＯＸ回路１３により音声が検出された場合に受信状態から送信状態に切り替える論理和回路１９および送受信切替スイッチ２と、２系統の音声入力のいずれか一方をＶＯＸ回路１３に接続するスイッチ１２と、受信状態でのスイッチ１２の接続状態を設定する設定スイッチ１８と、設定スイッチ１８による設定に従ってスイッチ１２を制御する制御回路１７とを備える。
【００６７】
これにより、２系統の音声入力のいずれでもＶＯＸ機能を使用することができる。
【００６８】
また、上記実施の形態によれば、外部機器３１を接続可能であってその外部機器３１からの音声信号を入力される外部音声入力端子１０が設けられ、スイッチ１２が、２系統の音声入力としてマイクロホン２１およびその外部機器３１のいずれか一方をＶＯＸ回路１３に接続する。
【００６９】
これにより、オプションとして接続可能な外部機器３１からの音声入力でもＶＯＸ機能を実現することができる。
【００７０】
さらに、上記実施の形態によれば、制御回路１７が、２系統の音声入力にそれぞれ対応して２つのＰＴＴスイッチ２２，３２から供給される信号がオフ状態である場合には、設定スイッチ１８による設定のみに従ってスイッチ１２を制御する。
【００７１】
これにより、受信状態でＶＯＸ機能が使用される音声入力が正確に選択される。
【００７２】
さらに、上記実施の形態によれば、制御回路１７が、設定スイッチ１８による設定より、ＰＴＴスイッチ２２，３２のオン／オフ状態を優先してスイッチ１２を制御する。
【００７３】
これにより、受信状態でＶＯＸ機能が使用される音声入力ではない音声入力でも、ＰＴＴスイッチ２２または外部機器３１のＰＴＴスイッチ３２を使用することで、送話が可能となる。
【００７４】
なお、上述の実施の形態は、本発明の好適な例であるが、本発明は、これらに限定されるものではなく、本発明の要旨を逸脱しない範囲において、種々の変形、変更が可能である。
【００７５】
例えば、上述の実施の形態では、制御回路１７は、ＰＴＴスイッチ２２および外部機器３１のＰＴＴスイッチ３２の両方がオン状態である場合には、外部機器３１を優先させ、設定スイッチ１８の状態に拘わらず、スイッチ１２に外部機器３１を選択させるようにしてもよい。あるいは、ＰＴＴスイッチ２２および外部機器３１のＰＴＴスイッチ３２の両方がオン状態である場合には、設定スイッチ１８の状態に応じて、制御回路１７が、スイッチ１２にマイクロホン２１および外部機器３１のいずれかを選択させるようにしてもよい。
【００７６】
また、上述の実施の形態では、設定スイッチ１８がオフ状態とされると、マイクロホン２１からの音声入力に対してＶＯＸ機能が使用され、設定スイッチ１８がオン状態とされると、外部機器３１からの音声入力に対してＶＯＸ機能が使用されるが、設定スイッチ１８がオン状態とされると、マイクロホン２１からの音声入力に対してＶＯＸ機能が使用され、設定スイッチ１８がオフ状態とされると、外部機器３１からの音声入力に対してＶＯＸ機能が使用されるようにしてもよい。その場合、制御回路１７の制御様式を変更すれば実現可能である。
【００７７】
さらに、上述の実施の形態では、ＰＴＴスイッチ２２をオン状態としたときにＰＴＴ信号がローレベルになるようにしているが、ＰＴＴスイッチ２２をオン状態としたときにＰＴＴ信号がハイレベルになるようにしてもよい。その場合には、制御回路１７の制御様式を変更し、ＰＴＴ信号に対する論理和回路１９の反転入力を非反転入力（通常の入力）とすればよい。
【００７８】
同様に、上述の実施の形態では、外部機器３１のＰＴＴスイッチ３２をオン状態としたときに外部ＰＴＴ信号がローレベルになるようにしているが、外部機器３１のＰＴＴスイッチ３２をオン状態としたときに外部ＰＴＴ信号がハイレベルになるようにしてもよい。その場合には、制御回路１７の制御様式を変更し、外部ＰＴＴ信号に対する論理和回路１９の反転入力を非反転入力（通常の入力）とすればよい。
【００７９】
さらに、外部機器３１のＰＴＴスイッチ３２は、ＰＴＴスイッチ２２と同様にユーザに直接操作されるスイッチとしてもよいし、外部機器３１に対する操作や外部機器３１の状態に応じてオン／オフされるスイッチとしてもよい。
【００８０】
【発明の効果】
本発明によれば、２系統の音声入力のいずれでもＶＯＸ機能を使用することができる無線機を得ることができる。
【図面の簡単な説明】
【図１】図１は、本発明の実施の形態に係る無線機の構成を示すブロック図である。
【図２】図２は、図１に示す実施の形態に係る無線機における制御回路による制御様式を示す図である。
【図３】図３は、ＶＯＸ機能と外部音声入力端子および外部ＰＴＴ信号入力端子とを備えた従来の無線機の構成例を示すブロック図である。
【図４】図４は、図３に示す従来の無線機における制御回路による制御様式を示す図である。
【符号の説明】
２　送受信切替スイッチ（送受信切替手段）
１０　外部音声入力端子
１２　スイッチ（切替手段）
１３　ＶＯＸ回路（音声検出手段）
１７　制御回路（制御手段）
１８　設定スイッチ（設定手段）
１９　論理和回路（送受信切替手段）
２２，３２　ＰＴＴスイッチ
【図１】
2004104444.tif 000003
【図２】
2004104444.tif 000004
【図３】
2004104444.tif 000005
【図４】
2004104444.tif 000006